(57)【要約】【課題】幅の異なるロール状に巻かれた記録紙に対応しているプリンタ装置を提供する。【解決手段】記録紙が設置される設置領域を有するプリンタ本体部と、前記記録紙に印刷をする印刷ヘッドと、制御部と、前記設置領域において、前記記録紙の幅を規定する可動ガイドと、前記設置領域に取り付けられた前記可動ガイドの位置を検出する第１の検出スイッチと、を有し、前記制御部は、前記第１の検出スイッチにおいて得られた情報に基づき、前記記録紙の幅に応じた印刷制御をすることを特徴とするプリンタ装置により上記課題を解決する。【選択図】  図６
2020066523.tif 000002
【特許請求の範囲】
【請求項１】
記録紙が設置される設置領域を有するプリンタ本体部と、
前記記録紙に印刷をする印刷ヘッドと、
制御部と、
前記設置領域において、前記記録紙の幅を規定する可動ガイドと、
前記設置領域に取り付けられた前記可動ガイドの位置を検出する第１の検出スイッチと、
を有し、
前記制御部は、前記第１の検出スイッチにおいて得られた情報に基づき、前記記録紙の幅に応じた印刷制御をすることを特徴とするプリンタ装置。
【請求項２】
前記可動ガイドは、前記設置領域内の両側に設けられており、
外側に設けられた側壁と、
前記側壁よりも内側に設けられた第１ホルダ部と、
前記第１ホルダ部よりも内側に設けられた第２ホルダ部と、
を有し、
前記第１ホルダ部と前記第２ホルダ部との間には段部が形成されており、
前記第１ホルダ部には、前記第１ホルダ部に設置される記録紙を検出する第２の検出スイッチが設けられており、
前記制御部は、前記第１の検出スイッチ及び前記第２の検出スイッチにおいて得られた情報に基づき、前記記録紙の幅に応じた印刷制御をすることを特徴とする請求項１に記載のプリンタ装置。
【請求項３】
前記第１の検出スイッチは、複数設けられていることを特徴とする請求項１または２に記載のプリンタ装置。
【発明の詳細な説明】
【技術分野】
【０００１】
本発明は、プリンタ装置に関する。
【背景技術】
【０００２】
プリンタは、商店等のレジスタや持ち運びが可能なモバイル型のレシート発行装置等の用途に幅広く用いられている。プリンタ装置には、プリンタ本体部と、プリンタ本体部に回動可能な状態で支持された蓋部が設けられたものがあり、蓋部を開くことにより記録紙ホルダに、ロール状に巻かれた記録紙を入れることができる。
【先行技術文献】
【特許文献】
【０００３】
【特許文献１】特開２０１７−１３９４５号公報
【特許文献２】特開２０００−３０２２９９号公報
【発明の概要】
【発明が解決しようとする課題】
【０００４】
ところで、上述したプリンタ装置に用いられるロール紙には様々な幅のものがあり、一つのプリンタ装置で様々な幅の記録紙に印刷をすることができれば、プリンタ装置としての汎用性が向上する。
【０００５】
よって、幅の異なる記録紙に対応しているプリンタ装置が求められている。
【課題を解決するための手段】
【０００６】
本実施の形態の一観点によれば、記録紙が設置される設置領域を有するプリンタ本体部と、前記記録紙に印刷をする印刷ヘッドと、制御部と、前記設置領域において、前記記録紙の幅を規定する可動ガイドと、前記設置領域に取り付けられた前記可動ガイドの位置を検出する第１の検出スイッチと、を有し、前記制御部は、前記第１の検出スイッチにおいて得られた情報に基づき、前記記録紙の幅に応じた印刷制御をすることを特徴とする。
【発明の効果】
【０００７】
本発明によれば、幅の異なる記録紙に対応するプリンタ装置を提供することができる。
【図面の簡単な説明】
【０００８】
【図１】本実施の形態のプリンタ装置の斜視図（１）
【図２】本実施の形態のプリンタ装置の斜視図（２）
【図３】本実施の形態のプリンタ装置の斜視図（３）
【図４】本実施の形態のプリンタ装置の上面図
【図５】本実施の形態のプリンタ装置の断面図（１）
【図６】本実施の形態のプリンタ装置の断面図（２）
【図７】本実施の形態の可動ガイドの斜視図
【図８】本実施の形態のプリンタ装置の説明図（１）
【図９】本実施の形態のプリンタ装置の説明図（２）
【図１０】本実施の形態のプリンタ装置の説明図（３）
【図１１】本実施の形態のプリンタ装置の説明図（４）
【図１２】本実施の形態のプリンタ装置の説明図（５）
【図１３】本実施の形態のプリンタ装置の説明図（６）
【図１４】本実施の形態のプリンタ装置の制御方法のフローチャート
【発明を実施するための形態】
【０００９】
本発明を実施するための形態について、以下に説明する。尚、同じ部材等については、同一の符号を付して説明を省略する。
【００１０】
プリンタ装置で幅の異なるロール状の記録紙を用いる場合について説明する。例えば、４インチ幅のロール紙を記録紙ホルダ等の設置領域に設置できるプリンタ装置では、幅が４インチよりも狭い、例えば３インチ幅や２インチ幅のロール紙を設置領域に入れることは可能である。このため、４インチ幅のロール紙に対応したプリンタ装置であれば、３インチ幅や２インチ幅のロール紙に印刷をすることは不可能ではない。
【００１１】
しかしながら、４インチ幅のロール紙に対応した設置領域に４インチよりも幅の狭いロール紙を入れた場合、ロール紙が設置領域内で幅方向に移動してしまう。このため、幅の狭いロール紙を位置決めするための位置決め部材が必要となる。
【００１２】
また、位置決め部材によりロール紙の位置決めがなされても、４インチ幅のロール紙に対応したプリンタ装置では４インチ幅の記録紙に印刷をすることを前提に作られているため、そのまま３インチ幅や２インチ幅のロール紙に印刷をすると、印刷される情報が記録紙よりはみ出してしまい、所望の情報を記録紙に印刷することができない。このため、例えば２インチ幅のロール紙に印刷をする場合には、設置領域に入れられているロール紙の幅は２インチであることをプリンタ装置が認識する必要がある。
【００１３】
４インチ幅のロール紙に対応したプリンタ装置の設置領域に、４インチよりも幅の狭い３インチ幅や２インチ幅のロール紙が入れられた場合に、プリンタ装置が記録紙の幅を自動的に検出できれば、各々の記録紙の幅に対応した印刷動作を行うことができるため、印刷される情報が記録紙よりはみ出してしまうことを防ぐことができる。
【００１４】
本実施の形態のプリンタ装置は、このような観点よりなされた発明であり、プリンタ装置の設置領域に入れられている記録紙の幅を検出することができ、検出された情報に基づき記録紙の幅に対応して印刷ヘッドを駆動することにより、複数の幅の異なる記録紙を用いた印刷を可能とするものである。
【００１５】
（プリンタ装置）
本実施の形態のプリンタ装置について、図１から図６に基づき説明する。図１は本実施の形態のプリンタ装置の斜視図であり、図２は蓋を開いた状態の斜視図であり、図３は蓋を開き記録紙が入れられている状態の斜視図であり、図４は上面図であり、図５は図４における一点鎖線４Ａ−４Ｂにおいて切断した断面図であり、図６は図４における一点鎖線４Ｃ−４Ｄにおいて切断した断面図である。
【００１６】
本実施の形態のプリンタ装置は、プリンタの本体部２０と、本体部２０に回動可能な状態で接続されている蓋３０とを有している。蓋３０の内側には、回転可能な状態でプラテンローラ４０が取り付けられており、本体部２０の内部には、サーマルヘッド等の印刷ヘッド５０が取り付けられている。本実施の形態のプリンタ装置では、蓋３０を回動させて開くことにより、本体部２０に設けられている記録紙が設置される設置領域６０が開かれ、設置領域６０にロール状の記録紙１００を入れることができる。図３に示される記録紙１００は、例えば幅が１１４ｍｍの、一般的に４インチ幅と呼ばれている記録紙である。
【００１７】
蓋３０を閉じることにより、プリンタ装置に記録紙１００を設置することができる。記録紙１００の端部は、プラテンローラ４０と印刷ヘッド５０との間に挟まれ、不図示のモータによりプラテンローラ４０を回転させることにより記録紙１００を搬送しながら、印刷ヘッド５０により記録紙１００に印刷をし、図５の破線矢印に示す方向に排紙することができる。
【００１８】
また、プリンタ装置の内部には、図５に示されるように、プリンタ装置を制御するための制御基板７０が設けられており、様々な制御をすることが可能である。更に、プラテンローラ４０を回転させるための不図示のモータや印刷ヘッド５０を駆動するための電力を供給するための電池７１が設けられている。
【００１９】
本実施の形態のプリンタ装置においては、図６等に示されるように、設置領域６０内で記録紙１００を幅方向の両側よりガイドする可動ガイド８０が設けられている。可動ガイド８０は、設置領域６０内での取り付け位置を変えることができ、記録紙１００を両側よりガイドするために２つ設けられており、設置領域６０内において記録紙の幅方向に対称となる位置に設置される。設置領域６０内には、可動ガイド８０の位置を検出するための検出スイッチＳＷ１、ＳＷ２が設けられており、可動ガイド８０には記録紙を検出するための検出スイッチＳＷ３が設けられている。尚、本願においては、検出スイッチＳＷ１、ＳＷ２を第１の検出スイッチと記載し、検出スイッチＳＷ３を第２の検出スイッチと記載する場合がある。また、本実施の形態では、検出スイッチＳＷ１、ＳＷ２、ＳＷ３はメカニカルスイッチであるが、光の反射等を検出する反射型の光学スイッチ等であってもよい。
【００２０】
（記録紙可動ガイド）
次に、図７に基づき、可動ガイド８０について説明する。可動ガイド８０は、外側に記録紙の位置を幅方向より規定する側壁８１が設けられており、側壁８１よりも内側には第１ホルダ部８２が、更に第１ホルダ部８２の内側には第２ホルダ部８３が形成されており、第１ホルダ部８２と第２ホルダ部８３との間には段部８４が形成されており、第１ホルダ部８２よりも第２ホルダ部８３が深くなっている。可動ガイド８０は、設置領域６０内において記録紙の幅方向に３段階に移動させることができる。
【００２１】
第１ホルダ部８２及び第２ホルダ部８３は、ロール状の記録紙の外形に対応した円弧状に形成されている。検出スイッチＳＷ３は、可動ガイド８０の第１ホルダ部８２に対応する位置に設けられており、第１ホルダ部８２に入っている記録紙を検出するが、第２ホルダ部８３に入っている記録紙は検出しない。
【００２２】
図８及び図９は、最も幅の広い、例えば４インチ幅の記録紙１０１に対応した状態を図示するものである。図８はこの状態のプリンタの本体部２０の上面図であり、図９は斜視図であり、記録紙１０１は破線で示されている。可動ガイド８０にはネジ穴８５が設けられており、設置領域６０の所定の位置にネジにより固定することができる。この状態では、検出スイッチＳＷ１及び検出スイッチＳＷ２は可動ガイド８０を検出しない。最も幅の広い幅Ｌ１の記録紙が入れられた場合には、記録紙は第１ホルダ部８２に入るため、可動ガイド８０に設けられた検出スイッチＳＷ３により記録紙が検出される。本実施の形態においては、幅Ｌ１は約１１４ｍｍであり、４インチ幅の記録紙に対応している。また、幅Ｌ１よりも幅の狭い幅Ｌ２の記録紙は第２ホルダ部８３に入るため、検出スイッチＳＷ３では検出されない。
【００２３】
図１０及び図１１は、幅Ｌ２よりも幅の狭い、例えば３インチ幅の記録紙１０２に対応した状態を図示するものである。図１０は、この状態のプリンタの本体部２０の上面図であり、図１１は斜視図であり、記録紙１０２は破線で示されている。この状態では、検出スイッチＳＷ１は可動ガイド８０を検出するが、検出スイッチＳＷ２では可動ガイド８０は検出されない。幅Ｌ３の記録紙が入れられた場合、記録紙は第１ホルダ部８２に入るため、記録紙は検出スイッチＳＷ３により検出される。本実施の形態においては、幅Ｌ３は約８０ｍｍであり、３インチ幅の記録紙に対応している。また、幅Ｌ３よりも幅の狭い幅Ｌ４の記録紙は第２ホルダ部８３に入るため、検出スイッチＳＷ３では検出されない。
【００２４】
図１２及び図１３は、幅Ｌ４よりも幅の狭い、例えば２インチ幅の記録紙１０３に対応した状態を図示するものである。図１２は、この状態のプリンタの本体部２０の上面図であり、図１３は斜視図であり、記録紙１０３は破線で示されている。この状態では、検出スイッチＳＷ１は可動ガイド８０を検出しないが、検出スイッチＳＷ２は可動ガイド８０を検出する。幅Ｌ４よりも幅の狭い幅Ｌ５の記録紙が入れられた場合、記録紙は可動ガイド８０の第１ホルダ部８２に入るため、検出スイッチＳＷ３により検出される。本実施の形態において、幅Ｌ５は約５８ｍｍであり、２インチ幅の記録紙に対応している。また、幅Ｌ５よりも幅の狭い幅Ｌ６の記録紙は第２ホルダ部８３に入るため、検出スイッチＳＷ３では検出されない。
【００２５】
本実施の形態のプリンタ装置における記録紙の幅と検出スイッチＳＷ１、ＳＷ２、ＳＷ３のオン、オフの関係を表１に示す。尚、表１では、検出有りをオン、検出なしをオフ、オンを１、オフを０とする。
【００２６】
【表１】
2020066523.tif 000003
【００２７】
このように検出スイッチＳＷ１、ＳＷ２、ＳＷ３において得られた情報は、制御基板７０に伝達され、制御基板７０において伝達された情報に基づき設置領域６０に設置されている記録紙の幅を検出することができ、その幅に対応した制御がなされる。本出願においては、制御基板７０を制御部と記載する場合がある。
【００２８】
記録紙が幅Ｌ１であると検出した場合、幅Ｌ１に対応した４インチ幅の記録紙に対応する印刷ヘッド５０の制御がなされる。また、記録紙が幅Ｌ５であると検出した場合には、幅Ｌ５に対応した２インチ幅の記録紙に対応した印刷ヘッド５０の制御、例えば、印刷ヘッド５０が印刷する幅などの印刷領域の制限等がなされる。尚、ホルダ部は３つ以上でもよく、その場合は第２の検出スイッチを（ホルダ部の数−１）の数設けてもよい。
【００２９】
（プリンタ装置の制御方法）
次に、本実施の形態のプリンタ装置による制御について説明する。実施の形態のプリンタ装置は、検出スイッチＳＷ１、ＳＷ２、ＳＷ３において得られた情報に基づき、制御基板７０で設置領域６０に入れられている記録紙の幅を検出し、検出された記録紙の幅に対応した制御、例えば印刷ヘッド５０の駆動領域の制限を行うものである。
【００３０】
図１４に基づき、本実施の形態のプリンタ装置の制御方法について説明する。
【００３１】
最初に、Ｓ１０２では、検出スイッチＳＷ１による可動ガイド検出の有無が判断される。検出スイッチＳＷ１により可動ガイドが検出された場合（Ｓ１０２  ＹＥＳ）にはＳ１１０に移行し、検出スイッチＳＷ１により可動ガイドが検出されなかった場合（Ｓ１０２  ＮＯ）にはＳ１０４に移行する。
【００３２】
Ｓ１０４では、検出スイッチＳＷ２による可動ガイド検出の有無が判断される。検出スイッチＳＷ２により可動ガイドが検出された場合（Ｓ１０４  ＹＥＳ）にはＳ１０８に移行し、検出スイッチＳＷ２により可動ガイドが検出されなかった場合（Ｓ１０４  ＮＯ）にはＳ１０６に移行する。
【００３３】
Ｓ１０６では、検出スイッチＳＷ３による記録紙検出の有無が判断される。検出スイッチＳＷ３により記録紙が検出された場合（Ｓ１０６  ＹＥＳ）にはＳ１２２に移行し、記録紙の幅はＬ１と判断され、幅Ｌ１の記録紙に対応した制御により印刷がなされる。検出スイッチＳＷ３により記録紙が検出されなかった場合（Ｓ１０６  ＮＯ）にはＳ１２４に移行し、記録紙の幅はＬ２と判断され、幅Ｌ２の記録紙に対応した制御により印刷がなされる。
【００３４】
Ｓ１０８では、検出スイッチＳＷ３による記録紙検出の有無が判断される。検出スイッチＳＷ３により記録紙が検出された場合（Ｓ１０８  ＹＥＳ）はＳ１３０に移行し、記録紙の幅はＬ５と判断され、幅Ｌ５の記録紙に対応した制御により印刷がなされる。検出スイッチＳＷ３により記録紙が検出されなかった場合（Ｓ１０８  ＮＯ）にはＳ１３２に移行し、記録紙の幅はＬ６と判断され、幅Ｌ６の記録紙に対応した制御により印刷がなされる。
【００３５】
Ｓ１１０では、検出スイッチＳＷ３による記録紙検出の有無が判断される。検出スイッチＳＷ３により記録紙が検出された場合（Ｓ１１０  ＹＥＳ）にはＳ１２６に移行し、記録紙の幅はＬ３と判断され、幅Ｌ３の記録紙に対応した制御により印刷がなされる。検出スイッチＳＷ３により記録紙が検出されなかった場合（Ｓ１１０  ＮＯ）にはＳ１２８に移行し、記録紙の幅はＬ４と判断され、幅Ｌ４の記録紙に対応した制御により印刷がなされる。
【００３６】
本実施の形態においては、プラテンとヘッドが直接接触すると摩擦が大きいため用紙幅が狭いとモータのトルク不足でモータが脱調して印字不良になることがあるが、幅を自動的に検出すると、各用紙幅に最適な用紙搬送速度で印字することができ、印字品質が向上する。また、プリンタ側で自動的に用紙幅を検出し印刷制御するので、ホスト側から用紙のない部分に空白データを送信したりホスト側の用紙幅の設定を変更したりする必要がない。
【００３７】
以上、本発明の実施に係る形態について説明したが、上記内容は、発明の内容を限定するものではない。
【符号の説明】
【００３８】
２０        本体部
３０        蓋
５０        印刷ヘッド
６０        設置領域
７０        制御基板
８０        可動ガイド
８１        側壁
８２        第１ホルダ部
８３        第２ホルダ部
８４        段部
１００      記録紙
ＳＷ１、ＳＷ２      検出スイッチ（第１の検出スイッチ）
ＳＷ３      検出スイッチ（第２の検出スイッチ）
【図１】
2020066523.tif 000004
【図２】
2020066523.tif 000005
【図３】
2020066523.tif 000006
【図４】
2020066523.tif 000007
【図５】
2020066523.tif 000008
【図６】
2020066523.tif 000009
【図７】
2020066523.tif 000010
【図８】
2020066523.tif 000011
【図９】
2020066523.tif 000012
【図１０】
2020066523.tif 000013
【図１１】
2020066523.tif 000014
【図１２】
2020066523.tif 000015
【図１３】
2020066523.tif 000016
【図１４】
2020066523.tif 000017